(57)【要約】【課題】車外から給油が可能な燃料タンクを備える自家発電機であり、自家発電機の排気ガスを誘導して排気ガスによる顧客への悪影響を解消し、さらに、自家発電機を搭載した移動販売車が外部電源を使用可能とした自家発電機を搭載した移動販売車を提供する。【解決手段】車両後部室内１１ｂに作業台１２を設けて冷房設備等を含む厨房機器を作業台１２等に配置し、車両側部に販売窓口を設け、作業台１２の下部に自家発電機１５と燃料タンク１６とを配置し、燃料タンク１６の給油孔１６ａに給油配管１７を接続して車両側部の給油口１６ｂに接続した自家発電機を搭載した移動販売車である。【選択図】図１
0003123731.tif 000002
【実用新案登録請求の範囲】
【請求項１】
自家発電機を搭載した移動販売車において、
車両後部室内に作業台を設けて冷房設備等を含む厨房機器を該作業台等に配置し、車両側部に販売窓口を設け、該作業台の下部に自家発電機と該自家発電機の燃料タンクとを配置し、該燃料タンクの給油孔に給油配管の一開口端を接続し、該給油配管の他開口端を車両側部の給油口に接続したことを特徴とする自家発電機を搭載した移動販売車。
【請求項２】
請求項１に記載の自家発電機を搭載した移動販売車において、
前記自家発電機の排気パイプに差し込んで排気ガスを誘導する排気誘導ホースと、該排気パイプの近傍に設けられ、該排気誘導ホースを係止する係止部材とからなることを特徴とする自家発電機を備える移動販売車。
【請求項３】
請求項２に記載の自家発電機を搭載した移動販売車において、
前記排気誘導ホースが、スパイラルの金具で覆われたホースであって、前記係止部材が、該排気誘導ホースを前記排気パイプに差し込み、該スパイラルの金具を螺合させて係止する爪を有することを特徴とする自家発電機を備える移動販売車。
【請求項４】
前記ホースが、蛇腹状ホースであることを特徴とする請求項２又は３に記載の自家発電機を備える移動販売車。
【請求項５】
前記請求項１，２，３又は４に記載の自家発電機を備える移動販売車において、
前記自家発電機と切り替えが可能な外部電源を引き込む外部電源引き込み孔が、前記移動販売車の後部室内の最後部に設けられ、車体底部に連通した開口であり、該引き込み孔を塞ぐ蓋が設けられることを特徴とする自家発電機を備える移動販売車。
【考案の詳細な説明】
【技術分野】
【０００１】
本考案は、自家発電機を搭載した移動販売車に関し、電源を必要とする厨房機器等に電源電圧を供給し、車内に給油口を持ち込むことなく、車外から燃料の供給が可能であり、しかも自家発電機の排気ガスを誘導して顧客に悪影響を与えることがなく、かつ外部電源を引き込み可能にした自家発電機を搭載した移動販売車に関する。
【背景技術】
【０００２】
図７は、従来のハンバーガー類を戸外で移動販売する移動販売車１を示しており、この移動販売車１は、バン型式の自動車の後部側を床面状とし、厨房機器を配置し、車両側部に販売窓口２が設けられ、ホットショーケース３、フラィヤー４、開架式カウンター５、レジ６、シンク７、排水タンク８、冷凍ストッカー９、発電機１０、外部電源取り入れ口１１等が設けられている。（例えば、特許文献１参照）
【０００３】
【特許文献１】特開平９−１５０６６５号公報（明細書全文，図面全図）
【考案の開示】
【考案が解決しようとする課題】
【０００４】
上記従来の移動販売車では、各種厨房機器を車内に稠密に効率良く収納されて移動販売に適したものであり、車両内には自家発電機が設置され、冷蔵・冷凍機や厨房機器等に電源を供給していた。しかし、移動販売車の発電機は運転席下部に設けられ、その燃料タンクも隣接して設けられ、給油は運転席のドアを開口して行っており、効率的ではないし、また、営業時に、発電機の排気ガスが移動販売車から排出され、排気ガスの匂い等が顧客に対し購買意欲に悪影響を与えるおそれがあった。また、外部電源取り入れ口は車両側面に設けられ、電源ソケットなどに雨水が侵入するおそれもあり、必ずしも好ましいものではなかった。
【０００５】
本考案は、上記のような課題に鑑みなされたものであって、車両に搭載した自家発電機の燃料タンクに車外から給油が可能であり、しかも自家発電機の排気ガスを誘導して排気ガスによる顧客への悪影響を解消することができる自家発電機を搭載した移動販売車を提供することを目的とし、さらに、自家発電機を搭載した移動販売車が外部電源を使用可能とし、外部電源の取り入れ口を雨水等の影響を受けないようにした自家発電機を搭載した移動販売車を提供することを目的とする。
【課題を解決するための手段】
【０００６】
本考案は、上記課題を達成したものであって、請求項１の考案は、自家発電機を搭載した移動販売車において、
車両後部室内に作業台を設けて冷房設備等を含む厨房機器を該作業台等に配置し、車両側部に販売窓口を設け、該作業台の下部に自家発電機と該自家発電機の燃料タンクとを配置し、該燃料タンクの給油孔に給油配管の一開口端を接続し、該給油配管の他開口端を車両側部の給油口に接続したことを特徴とする自家発電機を搭載した移動販売車である。
【０００７】
また、請求項２の考案は、請求項１に記載の自家発電機を搭載した移動販売車において、
前記自家発電機の排気パイプに差し込んで排気ガスを誘導する排気誘導ホースと、該排気パイプの近傍に設けられ、該排気誘導ホースを係止する係止部材とからなることを特徴とする自家発電機を備える移動販売車である。
【０００８】
また、請求項３の考案は、請求項２に記載の自家発電機を搭載した移動販売車において、
前記排気誘導ホースが、スパイラルの金具で覆われたホースであって、前記係止部材が、該排気誘導ホースを前記排気パイプに差し込み、該スパイラルの金具を螺合させて係止する爪を有することを特徴とする自家発電機を備える移動販売車である。
【０００９】
また、請求項４の考案は、前記ホースが、蛇腹状ホースであることを特徴とする請求項２又は３に記載の自家発電機を備える移動販売車である。
【００１０】
また、請求項５の考案は、前記請求項１，２，３又は４に記載の自家発電機を備える移動販売車において、
前記自家発電機と切り替えが可能な外部電源を引き込む外部電源引き込み孔が、前記移動販売車の後部室内の最後部に設けられ、車体底部に連通した開口であり、該引き込み孔を塞ぐ蓋が設けられることを特徴とする自家発電機を備える移動販売車である。
【考案の効果】
【００１１】
請求項１の考案では、自家発電機を搭載した移動販売車において、
車両後部室内に作業台を設けて冷房設備等を含む厨房機器を該作業台等に配置し、車両側部に販売窓口を設け、該作業台の下部に自家発電機と該自家発電機の燃料タンクとを配置し、該燃料タンクの給油孔に給油配管の一開口端を接続し、該給油配管の他開口端を車両側部の給油口に接続したことを特徴とする自家発電機を搭載した移動販売車であるので、自家発電機の燃料タンクに給油口を車内に持ち込むことなく、給油することができ、運転者や車内にガソリンの匂いが充満することもない利点がある。
【００１２】
また、請求項２の考案では、請求項１に記載の自家発電機を搭載した移動販売車において、
前記自家発電機の排気パイプに差し込んで排気ガスを誘導する排気誘導ホースと、該排気パイプの近傍に設けられ、該排気誘導ホースを係止する係止部材とからなることを特徴とする自家発電機を備える移動販売車であるので、自家発電機の排気ガスを排気誘導ホースによって、離れた位置に誘導することが可能であり、排気ガスが車内に陳列した食品に影響を与えることがなく、また排気ガスの匂いにより顧客の購買意欲に悪影響を与えることがない利点がある。
【００１３】
また、請求項３の考案では、請求項２に記載の自家発電機を搭載した移動販売車において、
前記排気誘導ホースが、スパイラルの金具で覆われたホースであって、前記係止部材が、該排気誘導ホースを前記排気パイプに差し込み、該スパイラルの金具を螺合させて係止する爪を有することを特徴とする自家発電機を備える移動販売車であるので、排気パイプに排気誘導ホースを簡単に装着することが可能であり、移動販売時に短時間で簡単に作業ができ、時間を要することなく、直ぐに営業を開始することができる利点がある。
【００１４】
また、請求項４の考案では、前記ホースが、蛇腹状ホースであることを特徴とする請求項２又は３に記載の自家発電機を備える移動販売車であるので、蛇腹状ホースは収納が容易であり、移動販売車のようにスペースが狭い車内に効率良く収納できる利点がある。
【００１５】
また、請求項５の考案では、前記請求項１，２，３又は４に記載の自家発電機を備える移動販売車において、
前記自家発電機と切り替えが可能な外部電源を引き込む外部電源引き込み孔が、前記移動販売車の後部室内の最後部に設けられ、車体底部に連通した開口であり、該引き込み孔を塞ぐ蓋が設けられることを特徴とする自家発電機を備える移動販売車であるので、外部電源引き込み孔が後部室内に設けられ、車体底部に連なる開口であり、車両内に収納された電源コードを外部電源引き込み孔から開口を通して車両外に引き出して外部電源を利用することができる。また、車両内に電源プラグを設けたとしても、外部電源に接続した電源コードを、この外部電源引き込み孔から引き込んで利用することができ、雨水などが電源プラグに侵入することもなく、安全性が高い電源を確保することができる。
【考案を実施するための最良の形態】
【００１６】
以下、本考案に係る自家発電機を備える移動販売車の実施の形態について、図面を参照して説明する。先ず、図面について簡単に説明すると、図１（ａ）は本考案に係る移動販売車の要部側面図であり、（ｂ）はその要部上面図である。図２は本実施形態の移動販売車における燃料タンクの配置図である。図３は本実施形態の排気パイプ近傍を示す斜視図であり、図４は排気パイプに排気誘導パイプを装着した斜視図である。図５はその外部斜視図である。図６は本実施形態の外部電源引き込み孔を示す斜視図である。
【００１７】
本実施形態の自家発電機を備える移動販売車について図１（ａ），（ｂ）を参照し説明する。移動販売車は、同図に示すように、車両１１の運転室１１ａの後部室内１１ｂに厨房機器が配置される作業台１２が設けられ、運転室１１ａの背後に給水・排水設備１３が設けられ、かつ車両左側にはカウンター１４が配置され、車両右側の作業台１２には厨房機器等がそれぞれ配置されている。作業台１２の底部区画部には自家発電機１５が設置され、自家発電機１５に隣接する他区画部には自家発電機１５の燃料タンク１６が設置されている。燃料タンク１６は、図２に示したように、その給油孔１６ａに給油配管１７の一開口端が接続され、給油配管１７の他開口端が車両側部の給油口１６ｂに接続され、蓋が設けられた給油口１６ｂを覆うように扉１８が車両側部に設けられている。
【００１８】
また、自家発電機１５の排気パイプ１９は、車両後方底部から突出し、図３〜図５に示すように、排気パイプ１９に隣接して係止部材２０が車体に設けられており、排気パイプ１９に排気誘導ホース２２が差し込まれ、排気誘導ホース２２の端部が係止部材２０に係合することによって、排気パイプ１９に排気誘導ホース２２を装着することができる。例えば、排気誘導ホース２２には、ホース端部にスパイラル金具２２ａが設けられ、このスパイラル金具２２ａを係止部材２０に設けられた爪２１に係合させ、排気誘導ホース２２を回転させることによって、スパイラル金具２２ａが爪２１に十分に係合し、排気誘導ホース２２を簡単に排気パイプ１９に装着することができる。排気誘導ホース２２は大凡５〜７ｍの長さがあり、排気誘導ホース２２のホース開口端部を車両１１から離れた位置にすることによって、排気誘導ホース２２を介して排出される排気ガスが営業中の移動販売車から離れた位置に排出することが可能であり、排気ガスの匂いから顧客を守ることが可能であるし、販売中の食品に対しても好ましいものである。殊に、移動販売車に隣接してイスやテーブルなどを配置したカフェを設置し、コーヒーなどの飲み物を提供する場合、顧客から排気ガスを遠ざけて快適な空間を提供することができるし、顧客の購買意欲を高めることができる。
【００１９】
また、本実施形態の自家発電機を備える移動販売車では、自家発電機から切り替えて外部電源を利用する場合があり、自家発電と外部電源の何れかを利用するための切り替えスイッチが設けられている。外部電源を利用する場合、図６に示すように、車両１１の後部床面に外部電源引き込み孔２３が車両底部に連通する開口が設けられ、外部電源引き込み孔２３を覆う蓋２４が設けられ、外部電源を使用しない場合、蓋２４は閉じられている。外部電源を使用する場合は、車両側から電源プラグ２５ａが接続された電源コード２５を引き出し、蓋２４を開けて外部電源引き込み孔２３に通し、電源プラグ２５ａを電源に差し込むことによって、外部電源を利用することができる。無論、車両の後部ドアは閉めた状態で営業ができるので、車両内を冷房を入れている場合であっても室内を快適な環境に維持することができる。
【００２０】
なお、図示していないが、外部から電源に差し込まれた電源コードを外部電源引き込み孔２３を通して車両内に引き込み、車両内に設けた電源ソケットに差し込んで外部電源を利用してもよい。このように電源ソケット等が車両側壁部に露出した構造ではないので、雨水が浸透することがなく、安全性に優れている。
【産業上の利用可能性】
【００２１】
本考案の活用例としては、食料品等を移動して販売する際に冷凍冷蔵庫などの電源として移動販売車の自家発電機装置を利用することができる。
【図面の簡単な説明】
【００２２】
【図１】（ａ）は本考案に係る自家発電機を備える移動販売車の要部側面図であり、（ｂ）はその要部上面図である。
【図２】本実施形態の移動販売車における燃料タンクの配置図である。
【図３】本実施形態の排気パイプ近傍を示す斜視図である。  ある。
【図４】本実施形態における排気パイプに排気誘導パイプを装着した斜視図である。
【図５】図４の外部斜視図である。
【図６】本実施形態の外部電源引き込み孔を示す斜視図である。
【図７】従来の移動販売車の概要を示す概略側面図である。
【符号の説明】
【００２３】
１１  車両
１１ａ  運転室
１１ｂ  後部室内
１２  作業台
１３  給水・排水設備
１４  カウンター
１５  自家発電機
１６  給油タンク
１６ａ  給油孔
１６ｂ  給油口
１７  給油配管
１８  蓋
１９  排気パイプ
２０  係止部材
２１  爪
２２  排気誘導ホース
２２ａ  スパイラル金具
２３  外部電源引き込み孔
２４  蓋
２５  電源コード
【図１】
0003123731.tif 000003
【図２】
0003123731.tif 000004
【図３】
0003123731.tif 000005
【図４】
0003123731.tif 000006
【図５】
0003123731.tif 000007
【図６】
0003123731.tif 000008
【図７】
0003123731.tif 000009